(57)【要約】【課題】従来の熱交換器に比較して軽量であるとともに熱交換性能が優れた熱交換器を提供する。【解決手段】上下方向に間隔をおいて並列状に配された高温流体流通用偏平中空体２と、上下に隣り合う偏平中空体２の右端部間および左端部間に配されてそれぞれ偏平中空体２にろう付されたスペーサ３およびスペーサバー４と、スペーサ３およびスペーサバー４間において隣り合う偏平中空体２間に配されかつ偏平中空体２にろう付されたフィン６とを備えている。偏平中空体２は、上下壁８と、周壁９と、内部を前後２つの流路１０、１１に区切る仕切壁１２とよりなる。上下壁８の右端部における仕切壁１２の前後両側部分にそれぞれ貫通穴１３、１４を形成する。仕切壁１２の左端部を切除して連通部２０を形成し、２つの流路１０、１１を相互に連通させる。スペーサ３に、偏平中空体２の上下壁８の２つの貫通穴１３、１４にそれぞれ通じる２つの貫通穴２６、２７を形成する。【選択図】      図２
2004184057.tif 000002
【特許請求の範囲】
【請求項１】
上下方向に間隔をおいて並列状に配された左右方向に伸びる高温流体流通用偏平中空体と、上下に隣り合う偏平中空体の右端部間に配されて偏平中空体にろう付されたスペーサと、上下に隣り合う偏平中空体の左端部間に配されて偏平中空体にろう付されたスペーサバーと、スペーサおよびスペーサバー間において隣り合う偏平中空体間に配されかつ偏平中空体にろう付されたフィンとを備えており、
高温流体流通用偏平中空体が、左右方向に長い平らな上下壁と、上下壁の周縁間に跨る周壁と、内部を左右方向に伸びる前後２つの流路に区切る仕切壁とよりなり、上下壁の右端部における仕切壁の前後両側部分に、それぞれ両流路を外部に通じさせる２つの貫通穴が前後方向に間隔をおいて形成され、仕切壁の左端部が切除されて２つの流路が相互に連通させられ、
スペーサに、偏平中空体の上下壁の２つの貫通穴にそれぞれ通じる２つの貫通穴が前後方向に間隔をおいて形成されている熱交換器。
【請求項２】
偏平中空体が、上下方向に間隔をおいて配された左右方向に長い上下両平板と、両平板間に配されかつ両平板にろう付された流路形成体とよりなり、流路形成体が、上下両平板の前後両側縁部間にそれぞれ配されかつ左右方向に伸びる２つの直線状サイドバーと、両サイドバー間にこれらと間隔をおいて配されかつ左右方向に伸びる１つの中間バーと、両サイドバーおよび中間バーに跨って高さの中間部に一体に設けられた２つの伝熱面積拡大部と、両サイドバーの右端にそれぞれ一体に設けられて前後方向内方に伸び、かつ先端が中間バーの右端部の前後両側面に当接させられてろう付されたエンドバーとよりなり、中間バーの左端部が切除され、両伝熱面積拡大部の右端部がそれぞれ切除され、上下両平板の右端部における中間バーの前後両側部分にそれぞれ貫通穴が形成されており、上下両平板により上下壁が形成され、上下両平板の左端部をそれぞれ互いに他の平板側に曲げるとともにこれらの屈曲部を相互に重ね合わせてろう付することにより周壁の左壁部が形成され、流路形成体の両サイドバーにより周壁の前後両側壁部が形成され、流路形成体のエンドバーにより周壁の右壁部が形成されている請求項１記載の熱交換器。
【請求項３】
上下両平板がそれぞれアルミニウムブレージングシートからなり、流路形成体がアルミニウム押出形材よりなる請求項２記載の熱交換器。
【請求項４】
上下両平板の左端屈曲部のうち内側に位置する屈曲部における流路形成体のサイドバーと対応するサイドバー対応部分の内側曲げアールが、サイドバーとの間に隙間が生じないような大きさであるとともに、同じく外側に位置する屈曲部における流路形成体のサイドバーと対応するサイドバー対応部分の内側曲げアールが内側に位置する屈曲部のサイドバー対応部分との間に隙間が生じないような大きさであり、上下両平板の左端屈曲部におけるサイドバー対応部分を除いた部分の内側曲げアールがそれぞれサイドバー対応部分の内側曲げアールよりも大きくなっている請求項２または３記載の熱交換器。
【請求項５】
上下両平板の左端屈曲部におけるサイドバー対応部分の内側曲げアールがそれぞれ０．２ｍｍ以下であり、上下両平板の左端屈曲部におけるサイドバー対応部分を除いた部分の内側曲げアールがそれぞれ上下両平板の厚み以上の大きさである請求項４記載の熱交換器。
【請求項６】
上下両平板の左端屈曲部のうち内側に位置する屈曲部におけるサイドバー対応部分を除いた部分の高さが、外側に位置する屈曲部のアール部と干渉しないような高さとなっている請求項４または５記載の熱交換器。
【請求項７】
前面上端部に、全ての偏平中空体の前側流路および全てのスペーサの前側の貫通穴に通じるように流体入口が設けられ、後面下端部に、全ての偏平中空体の後側流路および全てのスペーサの後側の貫通穴に通じるように流体出口が設けられている請求項１〜６のうちのいずれかに記載の熱交換器。
【請求項８】
右面上端部の前側部分に、全ての偏平中空体の前側流路および全てのスペーサの前側の貫通穴に通じるように流体入口が設けられ、右面下端部の後側部分に、全ての偏平中空体の後側流路および全てのスペーサの後側の貫通穴に通じるように流体出口が設けられている請求項１〜６のうちのいずれかに記載の熱交換器。
【請求項９】
上面右端部の前側部分に、全ての偏平中空体の前側流路および全てのスペーサの前側の貫通穴に通じるように流体入口が設けられ、上面右端部の後側部分に、全ての偏平中空体の後側流路および全てのスペーサの後側の貫通穴に通じるように流体出口が設けられている請求項１〜６のうちのいずれかに記載の熱交換器。
【請求項１０】
スペーサバーのフィンとは反対側を向いた面に、ねじ穴が形成されている請求項１〜９のうちのいずれかに記載の熱交換器。
【請求項１１】
スペーサバーの前後両端面に、ねじ穴が形成されている請求項１〜１０のうちのいずれかに記載の熱交換器。
【請求項１２】
スペーサバーに、その全長にわたって偏平中空体から外方に突出した凸条が一体に設けられており、この凸条の上下両面のうちの少なくともいずれか一方、および前後両端面の少なくともいずれか一方に、それぞれねじ穴が形成されている請求項１〜９のうちのいずれかに記載の熱交換器。
【請求項１３】
請求項１〜１２のうちのいずれかに記載されている熱交換器がオイルクーラとして用いられている産業機械。
【請求項１４】
請求項１〜１２のうちのいずれかに記載されている熱交換器がアフタークーラとして用いられている産業機械。
【請求項１５】
請求項１記載の熱交換器を製造する方法であって、
前後方向に間隔をおいて設けられかつ左右方向に伸びる２つの直線状サイドバーと、両サイドバー間にこれらと間隔をおいて設けられかつ左右方向に伸びる中間バーと、両サイドバーおよび中間バーに跨って高さの中間部に一体に設けられた平板状部とよりなる流路形成体用素材、左右方向に長い上下２枚の平板、前後方向に間隔をおいて２つの貫通穴が形成されたスペーサ、ならびにスペーサバーを用意し、
流路形成体用素材の中間バーの左右両端部を切除するとともに両平板状部の右端部を中間バーの右端部の切除長さと等しくなるようにそれぞれ切除すること、流路形成体用素材の両平板状部にそれぞれプレス加工を施すことにより伝熱面積拡大部を形成すること、および流路形成体用素材の両サイドバーの右端部をそれぞれ左右方向内方に曲げてその先端を中間バーの右端部の前後両側面に当接させてエンドバーを形成することにより流路形成体をつくり、
両平板の左端部をそれぞれ互いに反対側の平板側に曲げて屈曲部を形成するとともに、両平板の右端部における中間バーの前後両側に位置する部分にそれぞれ貫通穴を形成し、
上下両平板間に流路形成体を介在させてなる複数の組み合わせ体を上下に間隔をおいて並列状に配し、上下に隣り合う組み合わせ体の右端部間に、２つの貫通穴が平板の２つの貫通穴と通じるようにスペーサを配するとともに、同左端部間にスペーサバーを配し、さらに上下に隣り合う組み合わせ体間におけるスペーサとスペーサバーとの間にフィンを配し、
上下両平板と流路形成体の両サイドバー、中間バーおよびエンドバー、両エンドバーの先端部と中間バー、ならびに平板の屈曲部どうしをそれぞれろう付し、さらに平板とスペーサ、スペーサバーおよびフィンとをろう付することを特徴とする熱交換器の製造方法。
【請求項１６】
平板をアルミニウムブレージングシートで形成し、スペーサ、スペーサバー、流路形成体用素材をアルミニウム押出形材で形成し、フィンをアルミニウム薄板で形成し、上記ろう付を平板から溶け出したろう材により行う請求項１５記載の熱交換器の製造方法。
【請求項１７】
上下両平板の左端屈曲部のうち内側に位置する屈曲部における流路形成体のサイドバーと対応するサイドバー対応部分の内側曲げアールが、サイドバーとの間に隙間が生じないような大きさであるとともに、同じく外側に位置する屈曲部における流路形成体のサイドバーと対応するサイドバー対応部分の内側曲げアールが内側に位置する屈曲部のサイドバー対応部分との間に隙間が生じないような大きさであり、上下両平板の左端屈曲部におけるサイドバー対応部分を除いた部分の内側曲げアールがそれぞれサイドバー対応部分の内側曲げアールよりも大きくなっている請求項１５または１６記載の熱交換器の製造方法。
【請求項１８】
上下両平板の左端屈曲部におけるサイドバー対応部分の内側曲げアールがそれぞれ０．２ｍｍ以下であり、上下両平板の左端屈曲部におけるサイドバー対応部分を除いた部分の内側曲げアールがそれぞれ上下両平板の厚み以上の大きさである請求項１７記載の熱交換器の製造方法。
【請求項１９】
上下両平板の左端屈曲部のうち内側に位置する屈曲部におけるサイドバー対応部分を除いた部分の高さが、外側に位置する屈曲部のアール部と干渉しないような高さとなっている請求項１７または１８記載の熱交換器の製造方法。
【発明の詳細な説明】
【０００１】
【発明の属する技術分野】
この発明は、コンプレッサ、工作機械、油圧機器などの産業機械のオイルクーラ、アフタークーラ、ラジエータ等として使用される熱交換器およびその製造方法に関する。
【０００２】
この明細書において、図１の上下、左右をそれぞれ上下、左右といい、隣り合う偏平中空体間を流れかつ偏平中空体内を流れる高温流体と熱交換する低温流体の流れ方向の下流側、すなわち図１および図１０〜図１２に矢印Ｘで示す方向を前、これと反対側を後というものとする。なお、上下、左右および前後は、便宜上定義したものであって、上下、左右および前後はそれぞれ入れ替わる場合もある。また、以下の説明において、「アルミニウム」という用語には、純アルミニウムの他にアルミニウム合金を含むものとする。
【０００３】
【従来の技術】
産業機械のオイルクーラ、アフタークーラ、ラジエータ等として使用される熱交換器として、従来、上下方向に間隔をおいて並列状に配された左右方向に伸びる高温流体流通用アルミニウム製偏平中空体と、上下に隣り合う偏平中空体の左右両端部間に配されて偏平中空体にろう付されたアルミニウム製スペーサと、隣り合う偏平中空体間において左右のスペーサ間に配されかつ偏平中空体にろう付されたアルミニウム製コルゲートフィンとを備えており、偏平中空体が、平らな上下壁と、上下壁の前後両側縁間に跨る側壁とを有し、偏平中空体の上下壁の左右両端部にそれぞれ１つの貫通穴が形成され、左右のスペーサにそれぞれ偏平中空体の上下壁の貫通穴に通じる１つの貫通穴が形成され、左右両端部の全てのスペーサと、偏平中空体におけるスペーサに対応する部分とにより形成された上下方向に伸びる左右１対のヘッダ部を備えたものが知られている（たとえば、特許文献１および特許文献２参照）。
【０００４】
ここで、偏平中空体は、上下方向に間隔をおいて配されかつ両面にろう材層を有するアルミニウムブレージングシートからなる平板と、両平板間に配されかつ両平板にろう付されたアルミニウム製流路形成体とよりなり、平板の左右両端部に貫通穴が形成され、流路形成体が、両平板の周縁部間に跨る周壁、および周壁における両平板の前後両側縁に位置する２つの直線状部分の長さ方向の中間部どうしを連結するように設けられた伝熱面積拡大部とよりなる。そして、両平板が偏平中空体の上下壁となり、流路形成体の周壁における両平板の前後両側縁に位置する２つの直線状部分が偏平中空体の側壁となっている。
【０００５】
【特許文献１】
特開２００１−８２８９１号公報（段落００２７〜段落００３１）
【０００６】
【特許文献２】
特開平８−２３３４７６号公報（段落００１３〜段落００２１）
【０００７】
【発明が解決しようとする課題】
しかしながら、従来の熱交換器においては、次のような問題がある。すなわち、隣り合う偏平中空体の左右両端部にそれぞれスペーサが配されているので、全体の重量が比較的大きくなる。すなわち、スペーサには圧力が高い高温流体が通る貫通穴を形成する必要があるので、貫通穴の周囲の部分の肉厚を大きくしなければならず、その結果各スペーサの重量が大きくなって熱交換器全体の重量も大きくなる。
【０００８】
また、全てのスペーサに貫通穴が形成されているので、スペーサにブラケットやボスなどを取り付けるためのねじ穴を形成することができない。そのため、ブラケットやボスなどを溶接により固定する必要があるが、その作業が面倒である。スペーサにブラケットやボスなどを取り付けるためのねじ穴を形成するには、スペーサにおける貫通穴の周囲の部分の肉厚を大きくしなければならないが、その結果全体の重量が一層増加する。
【０００９】
また、左右両側にヘッダ部が形成されているので、熱交換器を設置する上で要求される全体の大きさに対して高温流体と低温流体との熱交換部、いわゆるコア部の面積が比較的小さくなり、熱交換性能向上効果に限界がある。
【００１０】
さらに、高温流体は、一方のヘッダ部に流入した後、偏平中空体内を流れて他方のヘッダ部に流入し、その間に隣り合う偏平中空体間を後方から前方に向かって流れる低温流体と熱交換するようになっている。この場合、偏平中空体内の後側部分を流れる高温流体は低温流体により効率良く冷却されるが、偏平中空体間の前側部分に至った低温流体の温度は既に比較的高くなっているので、偏平中空体内の前側部分を流れる高温流体の冷却効率は低下する。したがって、全体としての熱交換性能が十分ではない。
【００１１】
この発明の目的は、上記問題を解決し、従来の熱交換器に比較して軽量であるとともに熱交換性能が優れた熱交換器およびその製造方法を提供することにある。
【００１２】
【課題を解決するための手段】
本発明は、上記目的を達成するために以下の手段よりなる。
【００１３】
１）上下方向に間隔をおいて並列状に配された左右方向に伸びる高温流体流通用偏平中空体と、上下に隣り合う偏平中空体の右端部間に配されて偏平中空体にろう付されたスペーサと、上下に隣り合う偏平中空体の左端部間に配されて偏平中空体にろう付されたスペーサバーと、スペーサおよびスペーサバー間において隣り合う偏平中空体間に配されかつ偏平中空体にろう付されたフィンとを備えており、
高温流体流通用偏平中空体が、左右方向に長い平らな上下壁と、上下壁の周縁間に跨る周壁と、内部を左右方向に伸びる前後２つの流路に区切る仕切壁とよりなり、上下壁の右端部における仕切壁の前後両側部分に、それぞれ両流路を外部に通じさせる２つの貫通穴が前後方向に間隔をおいて形成され、仕切壁の左端部が切除されて２つの流路が相互に連通させられ、
スペーサに、偏平中空体の上下壁の２つの貫通穴にそれぞれ通じる２つの貫通穴が前後方向に間隔をおいて形成されている熱交換器。
【００１４】
２）偏平中空体が、上下方向に間隔をおいて配された左右方向に長い上下両平板と、両平板間に配されかつ両平板にろう付された流路形成体とよりなり、流路形成体が、上下両平板の前後両側縁部間にそれぞれ配されかつ左右方向に伸びる２つの直線状サイドバーと、両サイドバー間にこれらと間隔をおいて配されかつ左右方向に伸びる１つの中間バーと、両サイドバーおよび中間バーに跨って高さの中間部に一体に設けられた２つの伝熱面積拡大部と、両サイドバーの右端にそれぞれ一体に設けられて前後方向内方に伸び、かつ先端が中間バーの右端部の前後両側面に当接させられてろう付されたエンドバーとよりなり、中間バーの左端部が切除され、両伝熱面積拡大部の右端部がそれぞれ切除され、上下両平板の右端部における中間バーの前後両側部分にそれぞれ貫通穴が形成されており、上下両平板により上下壁が形成され、上下両平板の左端部をそれぞれ互いに他の平板側に曲げるとともにこれらの屈曲部を相互に重ね合わせてろう付することにより周壁の左壁部が形成され、流路形成体の両サイドバーにより周壁の前後両側壁部が形成され、流路形成体のエンドバーにより周壁の右壁部が形成されている上記１）の熱交換器。
【００１５】
３）上下両平板がそれぞれアルミニウムブレージングシートからなり、流路形成体がアルミニウム押出形材よりなる上記２）の熱交換器。
【００１６】
４）上下両平板の左端屈曲部のうち内側に位置する屈曲部における流路形成体のサイドバーと対応するサイドバー対応部分の内側曲げアールが、サイドバーとの間に隙間が生じないような大きさであるとともに、同じく外側に位置する屈曲部における流路形成体のサイドバーと対応するサイドバー対応部分の内側曲げアールが内側に位置する屈曲部のサイドバー対応部分との間に隙間が生じないような大きさであり、上下両平板の左端屈曲部におけるサイドバー対応部分を除いた部分の内側曲げアールがそれぞれサイドバー対応部分の内側曲げアールよりも大きくなっている上記２）または３）記載の熱交換器。
【００１７】
５）上下両平板の左端屈曲部におけるサイドバー対応部分の内側曲げアールがそれぞれ０．２ｍｍ以下であり、上下両平板の左端屈曲部におけるサイドバー対応部分を除いた部分の内側曲げアールがそれぞれ上下両平板の厚み以上の大きさである上記４）記載の熱交換器。
【００１８】
６）上下両平板の左端屈曲部のうち内側に位置する屈曲部におけるサイドバー対応部分を除いた部分の高さが、外側に位置する屈曲部のアール部と干渉しないような高さとなっている上記４）または５）記載の熱交換器。
【００１９】
７）前面上端部に、全ての偏平中空体の前側流路および全てのスペーサの前側の貫通穴に通じるように流体入口が設けられ、後面下端部に、全ての偏平中空体の後側流路および全てのスペーサの後側の貫通穴に通じるように流体出口が設けられている上記１）〜６）のうちのいずれかの熱交換器。
【００２０】
８）右面上端部の前側部分に、全ての偏平中空体の前側流路および全てのスペーサの前側の貫通穴に通じるように流体入口が設けられ、右面下端部の後側部分に、全ての偏平中空体の後側流路および全てのスペーサの後側の貫通穴に通じるように流体出口が設けられている上記１）〜６）のうちのいずれかの熱交換器。
【００２１】
９）上面右端部の前側部分に、全ての偏平中空体の前側流路および全てのスペーサの前側の貫通穴に通じるように流体入口が設けられ、上面右端部の後側部分に、全ての偏平中空体の後側流路および全てのスペーサの後側の貫通穴に通じるように流体出口が設けられている上記１）〜６）のうちのいずれかの熱交換器。
【００２２】
１０）スペーサバーのフィンとは反対側を向いた面に、ねじ穴が形成されている上記１）〜９）のうちのいずれかの熱交換器。
【００２３】
１１）スペーサバーの前後両端面に、ねじ穴が形成されている上記１）〜１０）のうちのいずれかの熱交換器。
【００２４】
１２）スペーサバーに、その全長にわたって偏平中空体から外方に突出した凸条が一体に設けられており、この凸条の上下両面のうちの少なくともいずれか一方、および前後両端面の少なくともいずれか一方に、それぞれねじ穴が形成されている上記１）〜９）のうちのいずれかの熱交換器。
【００２５】
１３）上記１）〜１２）のうちのいずれかの熱交換器がオイルクーラとして用いられている産業機械。
１４）上記１）〜１２）のうちのいずれかの熱交換器がアフタークーラとして用いられている産業機械。
【００２６】
１５）上記１）の熱交換器を製造する方法であって、
前後方向に間隔をおいて設けられかつ左右方向に伸びる２つの直線状サイドバーと、両サイドバー間にこれらと間隔をおいて設けられかつ左右方向に伸びる中間バーと、両サイドバーおよび中間バーに跨って高さの中間部に一体に設けられた平板状部とよりなる流路形成体用素材、左右方向に長い上下２枚の平板、前後方向に間隔をおいて２つの貫通穴が形成されたスペーサ、ならびにスペーサバーを用意し、
流路形成体用素材の中間バーの左右両端部を切除するとともに両平板状部の右端部を中間バーの右端部の切除長さと等しくなるようにそれぞれ切除すること、流路形成体用素材の両平板状部にそれぞれプレス加工を施すことにより伝熱面積拡大部を形成すること、および流路形成体用素材の両サイドバーの右端部をそれぞれ左右方向内方に曲げてその先端を中間バーの右端部の前後両側面に当接させてエンドバーを形成することにより流路形成体をつくり、
両平板の左端部をそれぞれ互いに反対側の平板側に曲げて屈曲部を形成するとともに、両平板の右端部における中間バーの前後両側に位置する部分にそれぞれ貫通穴を形成し、
上下両平板間に流路形成体を介在させてなる複数の組み合わせ体を上下に間隔をおいて並列状に配し、上下に隣り合う組み合わせ体の右端部間に、２つの貫通穴が平板の２つの貫通穴と通じるようにスペーサを配するとともに、同左端部間にスペーサバーを配し、さらに上下に隣り合う組み合わせ体間におけるスペーサとスペーサバーとの間にフィンを配し、
上下両平板と流路形成体の両サイドバー、中間バーおよびエンドバー、両エンドバーの先端部と中間バー、ならびに平板の屈曲部どうしをそれぞれろう付し、さらに平板とスペーサ、スペーサバーおよびフィンとをろう付することを特徴とする熱交換器の製造方法。
【００２７】
１６）平板をアルミニウムブレージングシートで形成し、スペーサ、スペーサバー、流路形成体用素材をアルミニウム押出形材で形成し、フィンをアルミニウム薄板で形成し、上記ろう付を平板から溶け出したろう材により行う上記１５）記載の熱交換器の製造方法。
【００２８】
１７）上下両平板の左端屈曲部のうち内側に位置する屈曲部における流路形成体のサイドバーと対応するサイドバー対応部分の内側曲げアールが、サイドバーとの間に隙間が生じないような大きさであるとともに、同じく外側に位置する屈曲部における流路形成体のサイドバーと対応するサイドバー対応部分の内側曲げアールが内側に位置する屈曲部のサイドバー対応部分との間に隙間が生じないような大きさであり、上下両平板の左端屈曲部におけるサイドバー対応部分を除いた部分の内側曲げアールがそれぞれサイドバー対応部分の内側曲げアールよりも大きくなっている上記１５）または１６）記載の熱交換器の製造方法。
【００２９】
１８）上下両平板の左端屈曲部におけるサイドバー対応部分の内側曲げアールがそれぞれ０．２ｍｍ以下であり、上下両平板の左端屈曲部におけるサイドバー対応部分を除いた部分の内側曲げアールがそれぞれ上下両平板の厚み以上の大きさである上記１７）記載の熱交換器の製造方法。
【００３０】
１９）上下両平板の左端屈曲部のうち内側に位置する屈曲部におけるサイドバー対応部分を除いた部分の高さが、外側に位置する屈曲部のアール部と干渉しないような高さとなっている上記１７）または１８）記載の熱交換器の製造方法。
【００３１】
【発明の実施形態】
以下、この発明の実施形態を、図面を参照して説明する。
【００３２】
図１はこの発明による熱交換器の全体構成を示し、図２〜図７はその要部の構成を示す。また、図８および図９は偏平中空体の流路形成体の製造方法を示し、図１０は図１に示す熱交換器における高温流体の流れを示す。なお、全図面を通じて同一部材および同一部分には同一符号を付す。
【００３３】
なお、この実施形態は、この発明による熱交換器をコンプレッサのオイルクーラに適用したものである。ここで、コンプレッサとしては、たとえばロードコンプレッサ、ガスタービンに用いられるコンプレッサ、鉄道車両用ブレーキに用いられるコンプレッサなどが挙げられる。
【００３４】
図１において、オイルクーラ（１）は、上下方向に間隔をおいて並列状に配されかつ左右方向に伸びるアルミニウム製の高温オイル流通用偏平中空体（２）と、上下に隣り合う偏平中空体（２）の右端部間に配されて偏平中空体（２）にろう付されたアルミニウム押出形材製スペーサ（３）と、上下に隣り合う偏平中空体（２）の左端部間に配されて偏平中空体（２）にろう付された前後方向に伸びるアルミニウム押出形材製スペーサバー（４）と、スペーサ（３）およびスペーサバー（４）間において隣り合う偏平中空体（２）間の通風間隙（５）に配されかつ偏平中空体（２）にろう付されたアルミニウム製コルゲートフィン（６）とを備えている。
【００３５】
オイルクーラ（１）の上端の偏平中空体（２）の上方および下端の偏平中空体（２）の下方には、それぞれ平面から見た形状および大きさが偏平中空体（２）と同じであるアルミニウム製サイドプレート（７）がこれらの偏平中空体（２）と間隔をおいて配されている。上下両端の偏平中空体（２）の右端部とサイドプレート（７）の右端部との間にもそれぞれアルミニウム押出形材製スペーサ（３）が配され、偏平中空体（２）およびサイドプレート（７）にろう付されている。また、上下両端の偏平中空体（２）の左端部とサイドプレート（７）の左端部との間にもアルミニウム押出形材製スペーサバー（４）が配され、偏平中空体（２）およびサイドプレート（７）にろう付されている。そして、上下両端の偏平中空体（２）とサイドプレート（７）との間も通風間隙（５）となされるとともに、この通風間隙（５）にもアルミニウム製コルゲートフィン（６）が配されて偏平中空体（２）およびサイドプレート（７）にろう付されている。サイドプレート（７）は、片面、すなわちスペーサ（３）、スペーサバー（４）およびコルゲートフィン（６）がろう付された面にろう材層を有するアルミニウムブレージングシートからなる。
【００３６】
図２および図３に示すように、偏平中空体（２）は、左右方向に長い平らな上下壁（８）と、上下壁（８）の周縁間に跨る周壁（９）と、内部を左右方向に伸びる前後２つの流路（１０）（１１）に区切る仕切壁（１２）とよりなり、上下壁（８）の右端部における仕切壁（１２）の前後両側部分に、それぞれ両流路（１０）（１１）を外部に通じさせる２つの貫通穴（１３）（１４）が前後方向に間隔をおいて形成されている。また、仕切壁（１２）の左端部が切除されて２つの流路（１０）（１１）が相互に連通させられている。連通部を（２０）で示す。このような偏平中空体（２）は、両面にろう材層を有するアルミニウムブレージングシートよりなりかつ上下方向に間隔をおいて配された左右方向に長い２枚の長方形状平板（１５）（１６）と、上下両平板（１５）（１６）間に配されかつ両平板（１５）（１６）にろう付されたアルミニウム押出形材製流路形成体（１７）とよりなる。
【００３７】
両平板（１５）（１６）の右端部の前後両側部分に、それぞれ貫通穴（１３）（１４）が形成されている。また、両平板（１５）（１６）の左端部は、それぞれ互いに他の平板（１６）（１５）側、すなわち上側の平板（１５）においては下方、下側の平板（１６）においては上方に曲げられ、これらの屈曲部（１５ａ）（１６ａ）が相互に重ね合わされてろう付されている（図４〜図６参照）。そして、両平板（１５）（１６）により上下壁（８）が形成され、両平板（１５）（１６）の屈曲部（１５ａ）（１６ａ）により周壁（９）の左壁部（９ａ）が形成されている。
【００３８】
流路形成体（１７）は、上下両平板（１５）（１６）の前後両側縁部間にそれぞれ配されかつ左右方向に伸びる２つの直線状サイドバー（１８）と、両サイドバー（１８）間にこれらと間隔をおいて配されかつ左右方向に伸びる１つの中間バー（１９）と、両サイドバー（１８）および中間バー（１９）に跨って高さの中間部に一体に設けられた２つの伝熱面積拡大部（２１）と、両サイドバー（１８）の右端にそれぞれ一体に設けられて前後方向内方に伸び、かつ先端が中間バー（１９）の右端部の前後両側面に当接させられてろう付されたエンドバー（２２）とよりなる（図７参照）。両サイドバー（１８）、中間バー（１９）およびエンドバー（２２）は上下両平板（１５）（１６）にろう付されている。中間バー（１９）の右端部は、両平板（１５）（１６）における両貫通穴（１３）（１４）の間の部分にろう付されている。中間バー（１９）の左端部は、連通部（２０）を形成するように、所定長さにわたって切除されている。また、両伝熱面積拡大部（２１）の右端部は、ここに両平板（１５）（１６）の貫通穴（１３）（１４）に合致する貫通穴が形成されるように、所定長さにわたって切除されている。そして、流路形成体（１７）の両サイドバー（１８）により周壁（９）の前後両側壁部（９ｂ）が形成され、流路形成体（１７）のエンドバー（２２）により周壁（９）の右壁部（９ｃ）が形成されている。
【００３９】
伝熱面積拡大部（２１）は、上方突出屈曲部（２３ａ）と下方突出屈曲部（２３ｂ）とが、水平部（２３ｃ）を介して左右方向に交互に設けられてなる波状帯板部（２３）が、前後方向に複数並べられかつ水平部（２３ｃ）において相互に一体に連結されることにより形成されたものである。また、伝熱面積拡大部（２１）において、前後方向に隣接する波状帯板部（２３）の上方突出屈曲部（２３ａ）どうしおよび下方突出屈曲部（２３ｂ）どうしはそれぞれ左右方向にずれて形成されている。なお、伝熱面積拡大部（２１）の各波状帯板部（２３）における左右方向に隣接する上方突出屈曲部（２３ａ）と下方突出屈曲部（２３ｂ）との間には水平部（２３ｃ）が存在し、前後方向に隣接する波状帯板部（２３）どうしは水平部（２３ｃ）において相互に一体に連結されているが、水平部（２３ｃ）は必ずしも必要としない。この場合、隣接する波状帯板部（２３）における上方突出屈曲部（２３ａ）から下方突出屈曲部（２３ｂ）に切り替わる部分が交差することになるので、この部分において相互に一体に連結される。
【００４０】
流路形成体（１７）は、図８および図９に示すようにして製造される。すなわち、前後方向に間隔をおいて設けられかつ左右方向に伸びる２つの直線状サイドバー（１８）と、両サイドバー（１８）間にこれらと間隔をおいて設けられかつ左右方向に伸びる中間バー（１９）と、両サイドバー（１８）および中間バー（１９）に跨って高さの中間部に一体に設けられた平板状部（２４）とよりなるアルミニウム押出形材製流路形成体用素材（２５）を製造する（図８（ａ）および図９（ａ）参照）。ついで、中間バー（１９）の左右両端部を所定長さにわたって切除するとともに、両平板状部（２４）の右端部をそれぞれ中間バー（１９）の右端部の切除長さよりも長くなるように切除する（図８（ｂ）および図９（ｂ）参照）。ついで、両平板状部（２４）にプレス加工を施すことにより伝熱面積拡大部（２１）を形成する（図８（ｃ）および図９（ｃ）参照）。その後、両サイドバー（１８）の右端部を前後方向内側に曲げて先端を中間バー（１９）の右端部の前後両側面に当接させ（図８（ｄ）参照）、その先端を中間バー（１９）にろう付することにより両エンドバー（２２）が形成される。なお、両エンドバー（２２）先端の中間バー（１９）へのろう付は、後述する熱交換器（１）の製造のさいに、平板（１５）（１６）から溶け出した溶融ろう材により行われる。
【００４１】
図４に示すように、上下両平板（１５）（１６）の屈曲部（１５ａ）（１６ａ）のうち内側に位置する屈曲部、ここでは下平板（１６）の屈曲部（１６ａ）の前後両端部における流路形成体（１７）のサイドバー（１８）と対応するサイドバー対応部分（１６ｂ）の内側曲げアール（Ｒ１）は、サイドバー（１８）との間に隙間が生じないような大きさ、たとえば０．２ｍｍ以下となっている。また、同じく外側に位置する屈曲部、ここでは上平板（１５）の屈曲部（１５ａ）の前後両端部における流路形成体（１７）のサイドバー（１８）と対応するサイドバー対応部分（１５ｂ）の内側曲げアール（ｒ１）は、下平板（１６）の屈曲部（１６ａ）のサイドバー対応部分（１６ｂ）との間に隙間が生じないような大きさ、たとえば０．２ｍｍ以下となっている。また、上下両平板（１５）（１６）の屈曲部（１５ａ）（１６ａ）におけるサイドバー対応部分（１５ｂ）（１６ｂ）を除いた部分（１５ｃ）（１６ｃ）の内側曲げアール（Ｒ２）（ｒ２）は、それぞれサイドバー対応部分（１５ｂ）（１６ｂ）の内側曲げアール（Ｒ１）（ｒ１）よりも大きくかつ上下両平板（１５）（１６）の厚み以上の大きさとなっている。さらに、上下両平板（１５）（１６）の屈曲部（１５ａ）（１６ａ）のうち内側に位置する屈曲部、ここでは下平板（１６）の屈曲部（１６ａ）におけるサイドバー対応部分（１６ｂ）を除いた部分（１６ｃ）の高さ（Ｈ）は、外側に位置する屈曲部、ここでは上平板（１５）の屈曲部（１５ａ）におけるサイドバー対応部分（１５ｂ）を除いた部分（１５ｃ）の高さ（ｈ）よりも低くかつ屈曲部（１５ａ）のアール部（１５ｄ）と干渉しないような高さとなっている。なお、この実施形態においては、下平板（１６）の屈曲部（１６ａ）が内側に、上平板（１５）の屈曲部（１５ａ）が外側にそれぞれ位置するようになっているが、これとは逆に、上平板（１５）の屈曲部（１５ａ）が内側に、下平板（１６）の屈曲部（１６ａ）が外側にそれぞれ位置するようになっていてもよく、この場合、各寸法は屈曲部（１５ａ）と屈曲部（１６ａ）とでは上記の関係と逆になる。
【００４２】
各スペーサ（３）には、図２に示すように、偏平中空体（２）の上下壁（８）の２つの貫通穴（１３）（１４）に通じる２つの垂直貫通穴（２６）（２７）が、平面から見て貫通穴（１３）（１４）と合致するように形成されている。なお、オイルクーラ（２）の上下両端の偏平中空体（２）と両サイドプレート（７）との間に配されたスペーサ（３）の垂直貫通穴（２６）（２７）の端部開口はサイドプレート（７）により閉鎖されている。
【００４３】
上端の偏平中空体（２）と上側サイドプレート（７）との間に配されたスペーサ（３）の前壁にはその前側垂直貫通穴（２６）内部に通じるように、アルミニウム製オイル入口管（２８）がろう付により接続され、下端の偏平中空体（２）と下側サイドプレート（７）との間に配されたスペーサ（３）の後壁にはその後側垂直貫通穴（１９）内部に通じるように、アルミニウム製オイル出口管（２９）がろう付により接続されている。すなわち、オイルクーラ（１）の前面上端部に、全ての偏平中空体（２）の前側流路（１０）および全てのスペーサ（３）の前側垂直貫通穴（２６）に通じるようにオイル入口管（２８）（流体入口）が設けられ、オイルクーラ（１）の後面下端部に、全ての偏平中空体（２）の後側流路（１１）および全てのスペーサ（３）の後側垂直貫通穴（２７）に通じるようにオイル出口管（２９）（流体出口）が設けられている。そして、全ての偏平中空体（２）の右端部の前側部分および全てのスペーサ（３）の前側部分により入口側ヘッダ部（３１）が形成され、入口側ヘッダ部（３１）において、全ての偏平中空体（２）の前側流路（１０）の右端部と、全てのスペーサ（３）の前側垂直貫通穴（２６）とが上下壁（８）の前側貫通穴（１３）により通じさせられている。また、全ての偏平中空体（２）の右端部の後側部分および全てのスペーサ（３）の後側部分により出口側ヘッダ部（３２）が形成され、出口側ヘッダ部（３２）において、全ての偏平中空体（２）の後側流路（１１）の右端部と、全てのスペーサ（３）の後側垂直貫通穴（２７）とが上下壁（８）の後側貫通穴（１４）により通じさせられている。
【００４４】
図６および図７に示すように、すべてのスペーサバー（４）のうち隣り合う２つのスペーサバー（４）の左側面に、両スペーサバー（４）に跨ってブラケット（３３）やボスをねじ（３５）により取り付けるためのねじ穴（３４）が１つずつ形成されている。
【００４５】
オイルクーラ（１）は、アルミニウムブレージングシート製平板（１５）（１６）と、アルミニウム押出形材製流路形成体（１７）と、スペーサ（３）と、スペーサバー（４）と、コルゲートフィン（６）と、アルミニウムブレージングシート製サイドプレート（７）とを所定の順序で重ね合わせるとともに、オイル入口管（２８）および同出口管（２９）を組み合わせて適当な手段により仮止めし、これらを一括してろう付することにより製造される。すなわち、オイルクーラ（１）は、上下両平板（１５）（１６）間に流路形成体（１７）を介在させてなる複数の組み合わせ体を上下に間隔をおいて並列状に配するとともに、上下両端の組み合わせ体の上方および下方にそれぞれサイドプレート（７）を配し、上下に隣り合う組み合わせ体間および上下両端の組み合わせ体とサイドプレート（７）との間にそれぞれスペーサ（３）、スペーサバー（４）およびコルゲートフィン（６）を配し、さらにオイル入口管（２８）および同出口管（２９）を組み合わせて適当な手段により仮止めし、これらを一括してろう付することにより製造される。このとき、平板（１５）（１６）と、流路形成体（１７）、スペーサ（３）、スペーサバー（４）およびコルゲートフィン（６）とのろう付、ならびにエンドバー（２２）の先端と中間バー（１９）とのろう付は、平板（１５）（１６）から溶け出した溶融ろう材により行われる。なお、スペーサ（３）を配する際に、２つの垂直貫通穴（２６）（２７）が平板（１５）（１６）の２つの貫通穴（１３）（１４）と合致するようにしておく。なお、オイル入口管（２８）および同出口管（２９）は、他の部材とは別個に溶接により接合してもよい。
【００４６】
上記構成のオイルクーラ（１）において、高温のオイルは、図１０に矢印Ｙで示すように、オイル入口管（２８）から入口側ヘッダ部（３１）内に流入し、ついで全ての偏平中空体（２）に分岐してその前側流路（１０）内を左方に流れ、さらに連通部（２０）を通って後側流路（１１）内に入り、後側流路（１１）内を右方に流れて出口側ヘッダ部（３２）内に流入し、オイル出口管（２９）から流出する。そして、全ての偏平中空体（２）の前側流路（１０）および後側流路（１１）内を流れている間に、通風間隙（５）を流れる低温の空気と熱交換して冷却される。すなわち、高温のオイルは、偏平中空体（２）の前側流路（１０）内で空気によりある程度冷却された後、後側流路（１１）内に入り、低温の空気は、通風間隙（５）の後側部分においてある程度加熱された後、通風間隙（５）の前側部分に至ることになる。したがって、通風間隙（５）の前側部分に至った空気の温度が比較的高くなっていたとしても、前側流路（１０）を流れるオイルは高温であって空気との温度差が大きいためにオイルは効率良く冷却され、後側流路（１１）を流れるオイルの温度が比較的低くなっていたとしても、通風間隙（５）の前側部分の空気は低温であってオイルとの温度差が大きいためにオイルは効率良く冷却される。その結果、全体としての熱交換性能が優れたものになる。
【００４７】
上記実施形態においては、この発明による熱交換器はオイルクーラに適用されているが、これに限定されるものではなく、ロードコンプレッサ、ガスタービン用コンプレッサ、鉄道車両用コンプレッサなどの産業機械におけるアフタークーラおよびラジエータとして適用されることもある。
【００４８】
さらに、この発明による熱交換器は、クレーン単体、デッキクレーン、クレーン車、ショベルカーなどの油圧機器や、工作機械などの産業機械のオイルクーラとして用いられる。
【００４９】
図１１および図１２はオイルクーラの他の実施形態を示す。
【００５０】
図１１に示すオイルクーラ（１）の場合、上端の偏平中空体（２）と上側サイドプレート（７）との間に配されたスペーサ（３）の右壁における前側部分に、その前側垂直貫通穴（２６）内部に通じるようにアルミニウム製オイル入口管（２８）がろう付により接続され、下端の偏平中空体（２）と下側サイドプレート（７）との間に配されたスペーサ（３）の右壁における後側部分に、その後側垂直貫通穴（２７）内部に通じるようにアルミニウム製オイル出口管（２９）がろう付により接続されている。すなわち、オイルクーラ（１）の右面上端部の前側部分に、全ての偏平中空体（２）の前側流路（１０）および全てのスペーサ（３）の前側垂直貫通穴（２６）に通じるようにオイル入口管（２８）（流体入口）が設けられ、右面下端部の後側部分に、全ての偏平中空体（２）の後側流路（１１）および全てのスペーサ（３）の後側垂直貫通穴（２７）に通じるようにオイル出口管（２９）（流体出口）が設けられている。
【００５１】
図１２に示すオイルクーラ（１）の場合、上側サイドプレート（７）の右端部の前側部分に、上端のスペーサ（３）の前側垂直貫通穴（２６）内部に通じるようにアルミニウム製オイル入口管（２８）がろう付により接続され、上側サイドプレート（７）の右端部の後側部分に、上端のスペーサ（３）の後側垂直貫通穴（２７）内部に通じるようにアルミニウム製オイル出口管（２９）がろう付により接続されている。すなわち、オイルクーラ（１）の上面右端部の前側部分に、全ての偏平中空体（２）の前側流路（１０）および全てのスペーサ（３）の前側垂直貫通穴（２６）に通じるようにオイル入口管（２８）（流体入口）が設けられ、上面右端部の後側部分に、全ての偏平中空体（２）の後側流路（１１）および全てのスペーサ（３）の後側垂直貫通穴（２７）に通じるようにオイル出口管（２９）（流体出口）が設けられている。
【００５２】
なお、図１１および図１２に示すオイルクーラにおけるオイルの流れ方は、図１０に示す場合と同じである。
【００５３】
図１３および図１４はスペーサバー（４）の変形例を示す。
【００５４】
図１３に示すスペーサバー（４０）の場合、その全長にわたって偏平中空体（２）から外方に突出した凸条（４１）が一体に設けられており、この凸条（４１）の上下両面および両端面に、それぞれブラケットやボスを取り付けるためのねじ穴（４２）が形成されている。
【００５５】
図１４に示すスペーサバー（４５）の場合、コルゲートフィン（６）と反対側を向いて面に、ブラケットやボスを取り付けるための２つのねじ穴（４６）が形成されている。
【００５６】
【発明の効果】
上記１）の熱交換器は、隣り合う偏平中空体の左端部間にスペーサバーが配置されているので、ここに貫通穴を有するスペーサが配置された従来の熱交換器に比較して軽量化を図ることができる。すなわち、スペーサバーは、通風間隙を形成するためだけのものであるから、その寸法を小さくすることができ、スペーサに比べて軽量化を図ることができ、その結果熱交換器全体の重量が、従来の熱交換器に比較して小さくなる。また、この熱交換器では、スペーサバーにブラケットやボスを取り付けるためのねじ穴を形成することができるので、ブラケットやボスを固定する作業が簡単になる。また、この熱交換器によれば、スペーサおよびスペーサバーの部分を除いた全体が高温流体と低温流体との熱交換部となるので、熱交換器を設置する上で要求される全体の大きさに対して高温流体と低温流体との熱交換部、いわゆるコア部の面積が従来の熱交換器に比較して大きくなり、熱交換性能が優れたものになる。さらに、この熱交換器によれば、高温流体は、偏平中空体の前側流路内で空気によりある程度冷却された後、後側流路内に入り、低温流体は、隣り合う偏平中空体間の後側部分においてある程度加熱された後、その前側部分に至ることになる。したがって、隣り合う偏平中空体間の前側部分に至った低温流体の温度が比較的高くなっていたとしても、前側流路を流れる高温流体は未だ高温であって低温流体との温度差が大きいために高温流体は効率良く冷却され、後側流路を流れる高温流体の温度が比較的低くなっていたとしても、隣り合う偏平中空体間の前側部分の低温流体は未だ低温であって高温流体との温度差が大きいために高温流体は効率良く冷却される。その結果、全体としての熱交換性能が優れたものになる。
【００５７】
上記２）の熱交換器によれば、流路形成体のエンドバーの先端部が中間バーにろう付されているので、偏平中空体の強度が増大する。すなわち、流路形成体の中間バーの右端部は、スペーサにおける２つの貫通穴の間の部分にろう付されることになり、エンドバーの先端部がこの中間バーにろう付されているので、偏平中空体内を流れる流体により、エンドバーに右方への力が加わったとしても、エンドバーの破損が防止される。
【００５８】
上記３）の熱交換器によれば、全体の重量が一層小さくなるとともに、その製造が容易になる。
【００５９】
上記４）および５）の熱交換器によれば、上下両平板の左端屈曲部のうち内側に位置する屈曲部における流路形成体のサイドバーと対応するサイドバー対応部分の内側曲げアールが、サイドバーとの間に隙間が生じないような大きさ、たとえば０．２ｍｍ以下であるとともに、同じく外側に位置する屈曲部における流路形成体のサイドバーと対応するサイドバー対応部分の内側曲げアールが内側に位置する屈曲部のサイドバー対応部分との間に隙間が生じないような大きさ、たとえば０．２ｍｍ以下であるから、内側に位置する屈曲部のサイドバー対応部分とサイドバーとの間、および上下両平板の屈曲部のサイドバー対応部分どうし間からの流体の洩れが防止される。また、上下両平板の左端屈曲部におけるサイドバー対応部分を除いた部分の内側曲げアールが、それぞれサイドバー対応部分の内側曲げアールよりも大きく、たとえば上下両平板の厚み以上であるから、この部分にひび割れが発生することが防止され、その結果偏平中空体の左壁部の耐圧性が向上するとともに繰り返し耐力が向上する。すなわち、この部分の内側曲げアールがサイドバー対応部分の内側曲げアールに等しいと、上下両平板の曲げ加工の際に、たとえば外表面側から板厚の半分程度のひび割れが発生し、偏平中空体の左壁部の耐圧性が低下するとともに繰り返し耐力が低下し、長期間の使用によりこれらの屈曲部が完全に割れて流体が洩れるおそれがある。なお、上下両平板の左端屈曲部のうち内側に位置する屈曲部のサイドバー対応部分の内側曲げアール、および同じく外側に位置する屈曲部のサイドバー対応部分の内側曲げアールが、たとえば０．２ｍｍ以下であると、上下両平板の曲げ加工の際に、たとえば外表面側から板厚の半分程度のひび割れが発生するが、内側屈曲部のサイドバー対応部分はサイドバーに、外側屈曲部のサイドバー対応部分は内側屈曲部にそれぞれろう付されているので、長期間の使用によってもこれらの屈曲部に完全な割れが発生することはない。
【００６０】
上記６）の熱交換器によれば、上下両平板の左端屈曲部のうち内側に位置する屈曲部におけるサイドバー対応部分を除いた部分の高さが、外側に位置する屈曲部のアール部と干渉しないような高さとなっているから、両平板の屈曲部間に隙間が発生することが防止され、その結果流体の洩れが防止される。すなわち、内側に位置する屈曲部のサイドバー対応部分を除いた部分の高さが、外側に位置する屈曲部のアール部と干渉すると、この熱交換器の製造にあたって上下両平板を組み合わせた際に、両屈曲部間に隙間が発生し、両屈曲部がろう付されないことがある。
【００６１】
上記７）〜９）の熱交換器によれば、流体入口および流体出口の位置を、熱交換器の配置上最適なものにすることができる。
【００６２】
上記１０）〜１２）の熱交換器によれば、ねじ穴を利用してブラケットやボスを取り付けることができるので、ブラケットやボスを固定する作業が簡単になる。
【００６３】
上記１５）の熱交換器の製造方法によれば、上記１）の効果を奏する熱交換器を簡単に製造することができる。
【００６４】
上記１６）の熱交換器の製造方法によれば、熱交換器の製造が一層容易になるとともに、製造された熱交換器の重量が一層小さくなる。
【００６５】
上記１７）および１８）の熱交換器の製造方法によれば、上記４）および５）の効果を奏する熱交換器を簡単に製造することができる。
【００６６】
上記１９）の熱交換器の製造方法によれば、上記６）の効果を奏する熱交換器を簡単に製造することができる。
【図面の簡単な説明】
【図１】この発明を適用したオイルクーラの全体構成を示す斜視図である。
【図２】オイルクーラの一部分を示す分解斜視図である。
【図３】偏平中空体を示す伝熱面積拡大部を省略した一部切り欠き斜視図である。
【図４】偏平中空体の左端部を拡大して示す垂直断面図である。
【図５】偏平中空体とその両側のスペーサバーおよびフィンの左端部を示す部分分解斜視図である。
【図６】図５と同じ部分を示す部分斜視図である。
【図７】流路形成体の一部を拡大して示す水平断面図である。
【図８】流路形成体の製造方法を示す右端部の部分斜視図である。
【図９】流路形成体の製造方法を示す左端部の部分斜視図である。
【図１０】図１に示すオイルクーラにおけるオイルの流れ方を示す図である。
【図１１】この発明を適用したオイルクーラの他の実施形態におけるオイルの流れ方を示す図である。
【図１２】この発明を適用したオイルクーラのさらに他の実施形態におけるオイルの流れ方を示す図である。
【図１３】スペーサバーの変形例を示す図６相当の図である。
【図１４】スペーサバーの他の変形例を示す図６相当の図である。
【符号の説明】
（１）：オイルクーラ（熱交換器）
（２）：偏平中空体
（３）：スペーサ
（４）（４０）（４５）：スペーサバー
（６）：コルゲートフィン
（８）：上下壁
（９）：周壁
（９ａ）：左壁部
（９ｂ）：前後両側壁部
（９ｃ）：右壁部
（１０）（１１）：流路
（１２）：仕切壁
（１３）（１４）：貫通穴
（１５）（１６）：平板
（１５ａ）（１６ａ）：屈曲部
（１５ｂ）（１６ｂ）：サイドバー対応部分
（１５ｃ）（１６ｃ）：サイドバー対応部分を除いた部分
（１６ｄ）：アール部
（１７）：流路形成体
（１８）：サイドバー
（１９）：中間バー
（２０）：連通部
（２１）：伝熱面積拡大部
（２２）：エンドバー
（２４）：平板状部
（２５）：流路形成体用素材
（２６）（２７）：垂直貫通穴
（２８）：オイル入口管（流体入口）
（２９）：オイル出口管（流体出口）
（３４）（４２）（４６）：ねじ穴
（Ｒ１）（ｒ１）：サイドバー対応部分の内側曲げアール
（Ｒ２）（ｒ２）：サイドバー対応部分を除いた部分の内側曲げアール
（Ｈ）（ｈ）：サイドバー対応部分を除いた部分の高さ
【図１】
2004184057.tif 000003
【図２】
2004184057.tif 000004
【図３】
2004184057.tif 000005
【図４】
2004184057.tif 000006
【図５】
2004184057.tif 000007
【図６】
2004184057.tif 000008
【図７】
2004184057.tif 000009
【図８】
2004184057.tif 000010
【図９】
2004184057.tif 000011
【図１０】
2004184057.tif 000012
【図１１】
2004184057.tif 000013
【図１２】
2004184057.tif 000014
【図１３】
2004184057.tif 000015
【図１４】
2004184057.tif 000016